(57)【要約】      （修正有）【課題】ブラジャー等に用いられる係止システムを有する衣服、及び、その製造方法を提供する。【解決手段】ブラ部は、雌型係止部材１６を有する第１衣服部分１２と、雄型係止部材１８を有する第２衣服部分１４と、を備え、雌型係止部材、及び雄型係止部材は、第１衣服部分と第２衣服部分とを連結するために、取り外し可能に互いに取り付け可能となっており、雌型係止部材及び雄型係止部材が互いに取り付けられた際に、雌型係止部材、及び雄型係止部材が、ブラ部に実質的に完全に覆われる。【選択図】図２
2019116714.tif 000002
【特許請求の範囲】
【請求項１】
衣服部であって、
第１係止部材を有する第１衣服部分と、
第２係止部材を有する第２衣服部分と、を備え、
前記第１係止部材及び第２係止部材は、前記第１衣服部分と前記第２衣服部分とを連結するために、取り外し可能に互いに取り付け可能となっており、
前記第１係止部材及び第２係止部材が互いに取り付けられた際に、前記第１係止部材及び前記第２係止部材が、前記衣服部に実質的に完全に覆われる、ことを特徴とする、衣服部。
【請求項２】
前記第１係止部材は、前記第１衣服部分に取り付けられ、前記第２係止部材は、前記第２衣服部分に取り付けられている、請求項１に記載の衣服部。
【請求項３】
前記第１係止部材及び第２係止部材は、スナップフィット結合部を介して、取り外し可能に互いに取り付け可能となっている、請求項１に記載の衣服部。
【請求項４】
前記第１係止部材は、凹部を有し、前記第２係止部材は、凸部を有し、前記凹部は、前記スナップフィット結合部を形成するべく、前記凸部を取り外し可能に受け入れるように構成されている、請求項３に記載の衣服部。
【請求項５】
前記第１係止部材は、前記第１衣服部分に実質的に完全に覆われ、前記第２係止部材は、前記第２衣服部分に少なくとも部分的に覆われる、請求項１に記載の衣服部。
【請求項６】
前記第１係止部材及び前記第２係止部材のうちの少なくとも一方は、前記第１係止部材と前記第２係止部材とが互いに取り付けられた際、前記第２係止部材から前記第１係止部材を解除するために作動可能となっている解除手段を含む、請求項１に記載の衣服部。
【請求項７】
前記第１衣服部分及び前記第２衣服部分のそれぞれは、外側層と、内側層と、前記外側層及び前記内側層のそれぞれの間の強化部材と、を有し、前記第１係止部材及び前記第２係止部材は、それぞれの前記強化部材に取り付けられている、請求項２に記載の衣服部。
【請求項８】
前記第１係止部材及び前記第２係止部材は、縫い合わせ、熱ラミネート、接着、超音波接着又はそれらの組み合わせによって、それぞれの前記強化部材に取り付けられている、請求項７に記載の衣服部。
【請求項９】
前記強化部材は、実質的に伸縮性の無い布地層を含む、請求項７に記載の衣服部。
【請求項１０】
前記実質的に伸縮性の無い布地層は、ナイロン、ポリエステル及びそれらの混合物からなる群から選択された材料を含む、請求項９に記載の衣服部。
【請求項１１】
前記第１衣服部分及び前記第２衣服部分のそれぞれは、各前記外側層と前記内側層との間の少なくとも一つのワイヤ部材を含み、前記ワイヤ部材は、各前記強化部材に取り付けられている、請求項７に記載の衣服部。
【請求項１２】
前記外側層及び前記内側層のうちの少なくともいずれかは、発泡層に取り付けられた布地層を含む、請求項７に記載の衣服部。
【請求項１３】
前記布地層及び前記発泡層は、縫い合わせ、熱ラミネート、接着、又はそれらの組み合わせによって、互いに取り付けられている、請求項１２に記載の衣服部。
【請求項１４】
請求項１に記載の衣服部を少なくとも一つ含む衣服。
【請求項１５】
前記衣服が下着である、請求項１４に記載の衣服。
【請求項１６】
前記下着は、ブラジャーである、請求項１５に記載の衣服。
【請求項１７】
前記衣服部の前記第１衣服部分及び前記第２衣服部分のそれぞれは、前記ブラジャーのブラカップを含む、請求項１６に記載の衣服。
【請求項１８】
衣服部の製造方法であって、
第１布地層及び第２布地層を準備する工程と、
前記第１布地層と前記第２布地層との間の強化部材を準備する工程と、
前記強化部材に係止手段を取り付ける工程と、
前記係止手段を少なくとも部分的に覆うべく、前記第１布地層、前記強化部材、及び前記第２布地層を互いに取り付ける工程と、を備える、製造方法。
【請求項１９】
前記第１層は、頂部側布地層と底側発泡層とを有し、前記底側発泡層は、前記強化部材に隣接している、請求項１８に記載の方法。
【請求項２０】
前記第２層は、頂部側発泡層と底部側布地層とを有し、前記頂部側発泡層は、前記強化部材に隣接している、請求項１８に記載の方法。
【請求項２１】
前記強化部材を準備する工程の前に、前記第１布地層と前記第２布地層との間にワイヤ部材を設ける工程をさらに含む、請求項１８に記載の方法。
【請求項２２】
前記強化部材を前記ワイヤ部材に取り付ける工程をさらに含む、請求項２１に記載の方法。
【請求項２３】
前記第１布地層は、凹形状に前段階の成型がなされ、当該凹形状の凹面を規定する前記第１布地層の前記底部側発泡層をともなう、請求項１９に記載の方法。
【請求項２４】
前記第２布地層は、凹形状に前段階の成型がなされ、当該凹形状の凹面を規定する前記第２布層の前記底部側布地層をともなう、請求項２０に記載の方法。
【請求項２５】
前記係止手段を少なくとも部分的に覆うべく、前記第１布地層、前記強化部材、及び前記第２布地層を互いに取り付ける工程は、縫い合わせ、熱ラミネート、接着、又はそれらの組み合わせによって、行われる、請求項１８に記載の方法。
【請求項２６】
前記接着は、接着剤の使用によって行われる、請求項２５に記載の方法。
【請求項２７】
前記第１布地層及び前記強化部材の間、並びに、前記第２布地層及び前記強化部材の間に、前記接着剤を導入する工程をさらに含む、請求項２６に記載の方法。
【請求項２８】
前記強化部材に前記係止手段を取り付ける工程は、縫い合わせ、熱ラミネート、接着、超音波接着、又はそれらの組み合わせによって、行われる、請求項１８に記載の方法。
【請求項２９】
請求項１８に記載の方法によって、少なくとも一つの衣服部を製造する工程を含む、衣服の製造方法。
【請求項３０】
衣服を形成するべく、前記衣服部にさらなる部分を形成する工程を含む、請求項２９に記載の方法。
【請求項３１】
前記衣服は、下着である、請求項２９に記載の方法。
【請求項３２】
前記下着は、ブラジャーである、請求項３１に記載の方法。
【発明の詳細な説明】
【技術分野】
【０００１】
本発明は、係止システムを有する衣服部に関する。特に、本発明は、ブラジャーのような衣服において用いられてもよい係止システムを有する衣服部に関する。また、本発明は、衣服部及び衣服の製造方法に関する。
【背景技術】
【０００２】
ブラジャー、より一般的な用語において‘ブラ’は、胸を覆い且つ支持するために女性によって身に着けられる下着である。覆い且つ支持するという基本的な機能から離れ、ブラは、着用者の身体へ重要な装飾の目的をも提供する。近年、ブラは種々のデザインを伴って作られ、これにより、単なる衣服の必需品の一部としてよりもむしろ、魅力的なファッションアイテムとなることを可能としている。
【０００３】
ブラは、一般に、着用者の胸を覆う前部と、使用時の着用者の背中上で前部の２つの端部を接続するための後部と、通常時に胸をより良く支持するために前部及び後部を接続するための肩ひもと、を含む。従来の後部係止式のブラとしては、後部の両端部に留め具が設けられ、身に付けられた際に、留め具が着用者の背中に位置する。留め具は、通常、１つ又は複数の一対の小型ホック及び環状の金属ワイヤの形態の輪を、あるいは、１つ又は複数のピン及び溝形状部を、含む。しかしながら、後部係止式のブラを身に付けた際に、ブラの着用者にとって、背中の後ろ側の腕によって見えない操作にて背中で、ホックを各輪にかみ合わせること、又は、ピンを各溝にかみ合わせることが面倒であることは、着用者にとっては知られたことである。加えて、従来の留め具は、通常、使用時に肌に晒され且つ接触するため、使用時における従来の留め具が身体に不快感を生じさせ得ることを、一部の着用者が見出す場合があり、したがって、着用者は、快適性に重大な影響を与える留め具の存在を、肌に直接着る衣服に望まれるもののように感じることがあり得る。状況次第では、晒された留め具は、着用者の肌に、かき傷又は敏感性を生じさせることすらある。後部係止式のブラの欠点を克服又は少なくとも和らげるために、前側閉じ式のブラが、着用者の前側に設けられた留め具の係止を可能とするために開発されてきた。しかしながら、従来の留め具による着用者への不快感の問題は、前側閉じ式のブラにおいても残っている。加えて、従来のホック及び輪留め具、又は、同じような設計の留め具は、前側閉じ式のブラで使用された際、ブラの前側で常に視認可能であり、そのため使用時のブラの外観に悪影響を与える場合があり、このことは、ブラの装飾の目的を妨げる。
【発明の概要】
【０００４】
本発明の第１の態様によれば、第１係止部材を有する第１衣服部分と、第２係止部材を有する第２衣服部分と、を備え、前記第１係止部材及び第２係止部材は、前記第１衣服部分と前記第２衣服部分とを連結するために、取り外し可能に互いに取り付け可能となっており、前記第１係止部材及び第２係止部材が互いに取り付けられた際に、前記第１係止部材及び前記第２係止部材が、衣服部に実質的に完全に覆われる衣服部が、提供される。
【０００５】
本発明の第２の態様によれば、少なくとも衣服部を含み、当該衣服部が、第１係止部材を有する第１衣服部分と、第２係止部材を有する第２衣服部分と、を備え、前記第１係止部材及び第２係止部材は、前記第１衣服部分と前記第２衣服部分とを連結するために、取り外し可能に互いに取り付け可能となっており、前記第１係止部材及び第２係止部材が互いに取り付けられた際に、前記第１係止部材及び前記第２係止部材が、衣服部に実質的に完全に覆われる衣服が、提供される。
【０００６】
本発明の第３の態様によれば、衣服部の製造方法であって、第１布地層及び第２布地層を準備する工程と、前記第１布地層と前記第２布地層との間の強化部材を準備する工程と、前記強化部材に係止手段を取り付ける工程と、前記係止手段を少なくとも部分的に覆うべく、前記第１布地層、前記強化部材、及び前記第２布地層を互いに取り付ける工程と、を備える、製造方法が、提供される。
【０００７】
本発明の第４の態様によれば、少なくとも１つの衣服部を製造する工程を含む衣服の製造方法であって、第１布地層及び第２布地層を準備する工程と、前記第１布地層と前記第２布地層との間の強化部材を準備する工程と、前記強化部材に係止手段を取り付ける工程と、前記係止手段を少なくとも部分的に覆うべく、前記第１布地層、前記強化部材、及び前記第２布地層を互いに取り付ける工程と、を備える、製造方法が、提供される。
【図面の簡単な説明】
【０００８】
本発明の各種実施の形態による衣服部、衣服、衣服部の製造方法及び衣服の製造方法が、添付の図面を参照しつつ、各例を通して、以後に説明される。
【図１】図１は、本発明の一実施の形態による、取り付け配置における衣服部の正面図である。
【図２】図２は、非取り付け配置における図１の衣服部の正面図である。
【図３】図３は、図２の衣服部の雌型係止部材及び雄型係止部材の正面図であって、各係止部材が互いから取り付けられていない状態の図である。
【図４】図４は、図３の各係止部材の背面図である。
【図５】図５は、図３及び図４の各係止部材の斜視図である。
【図６】図６は、図１及び２の第１衣服部分及び第２衣服部分の外側層を形成する布地層と発泡層との断面図である。
【図７】図７は、図１及び２の第１衣服部分及び第２衣服部分の内側層を形成する発泡層と布地層との断面図である。
【図８】図８は、図６に示された布地層と形態層とを有する外側層の斜視図である。
【図９】図９は、図７に示された発泡層と布地層とを有する内側層の斜視図である。
【図１０】図１及び２に示されるように示された衣服部における一対の下部ワイヤの上面図であって、下部ワイヤが、本発明の一実施の形態による各強化部材に取り付けられている図である。
【図１１】図１１は、本発明の他の実施の形態による衣服部で用いる一対の強化部材の上面図である。
【図１２】図１２は、図１及び２に示されるような衣服部の製造方法のための雌型及び対応する雄型を有する成型装置の断面図であって、雌型及び雌型の間に配置された図６及び８の衣服部分の外側層が示される図である。
【図１３】図１３は、雌型及び雌型の間に配置された図７及び９の衣服部分の内側層を有する図１２の成型装置の断面図である。
【図１４】図１４は、図１２の成型装置から外された後の外側層の断面図である。
【図１５】図１５は、図１３の成型装置から外された後の内側層の断面図である。
【図１６】図１６は、本発明の一実施の形態による積層工程を示す斜視図であって、雌型上に配置された図１４の前段階成型外側層が示される図である。
【図１７】図１７は、図１６の工程に続く積層工程を示す斜視図であって、前段階成型外側層上に配置された下部ワイヤと強化部材とが示される図である。
【図１８】図１８は、図１７の工程に続く積層工程を示す斜視図であって、下部ワイヤ及び強化部材上に配置された図１５の前段階成型内側層が示される図である。
【図１９】図１９は、分離された雄及び雌型を有する成型装置の断面図であって、それらの間に配置された、図１８の前段階成型内側層、外側層及び強化部材が示される図である。
【図２０】図２０は、図１９の成型装置の断面図であって、それらの間の層を圧縮するために近接する雄及び雌型が示される図である。
【図２１】図２１は、図２０の成型装置から外された後の積層された層の斜視図であって、積層された層が、当該積層された層の底端部に開口を含んでいる図である。
【図２２】図２２は、図２１の積層された層から切断された後の衣服部の斜視図であって、衣服部の各々が開放された底角部を有している図である。
【図２３】図２３は、縫い合わせによる雌及び雄型係止部材の強化部材への取付を示す斜視図であって、強化部材が図２２の開放された底角部に近づき得る状態となっている図である。
【図２４】図２４は、図２３の衣服部の正面図であって、閉じられた開放された底角部が示される図である。
【図２５】図２５は、図２４の衣服部を構成する層を示した分解図である。
【発明を実施するための形態】
【０００９】
図１は、本発明の一実施の形態による前側閉じ式のブラの、概略として１０として示される一部分を示している。ブラ部１０は、一対の係止部材によって互いに取り付けられる第１衣服部分１２と、第２衣服部分１４と、を含む。係止部材は、各係止部材が互いに取り付けられた際に、係止部材が部分１０に実質的に完全に覆われるように、第１衣服部分１２と第２衣服部分１４とを連結するために、取り外し可能に互いに取り付け可能となっており、これにより、容易な設置、利便性、及び接続点の前及び後の両方から見られた際の実質的に不可視な閉じ部分を提供できる。加えて、部分１０内の係止部材の実質的に完全な包囲は、係止部材が着用者の肌に晒されないようすることを可能とし、且つ接続点の前及び後の両方で、着用者に係止部材のいずれの部分が露出することを回避する。これは、使用時に着用者の肌に係止部材が接触することを防ぎ、これにより、着用者に生じる不快感を最小化する。第１衣服部分１２及び第２衣服部分１４は、例えば、ブラのブラカップの形態をとり、着用者の胸を覆うべく配置されている。
【００１０】
図２は、非取り付け配置における第１衣服部分１２及び第２衣服部分１４を示す図１のブラ部１０を示している。第１衣服部分１２は、それに取り付けられた雌型係止部材１６を含み、第２衣服部分１４は、それに取り付けられた雄型係止部材１８を含んでいる。第１衣服部分１２及び第２衣服部分１４は、雌型係止部材１６と雄型係止部材１８とを互いから取り付けられないようにすることによって、取り付けられない。また、図３〜５には、雌型係止部材１６が凹部２０を有し、雄型係止部材１８が凸部２２を有することが示されている。雌型係止部材１６の凹部２０は、取り付け状態を形成するために、雄型係止部材１８の凸部２２を取り外し可能に受け入れるように構成されている。他の実施の形態では、雌型係止部材１６と雄型係止部材１８は、スナップフィット結合部を介して、取り付けられる。
【００１１】
図２に示されるように、雌型係止部材１６は、第１衣服部分１２に、実質的に完全に覆われている。本発明との関連では、‘実質的に完全に覆われる’ような雌型係止部材１６は、全体的に囲まれる形態のように解釈されるべきではない。その代わりに、第１衣服部分１２は、雌型係止部材１６の凹部２０へのアクセスを提供する少なくとも一つの開口を含んでいる。雄型係止部材１８は、第２衣服部分１４に部分的に覆われており、第２衣服部分１４から凸部２２の少なくとも一部が露出されることによって、雌型係止部材１６の凹部２０によって受け入れられることが可能となっている。
【００１２】
図４は、解除手段２４をさらに含んだ雌型係止部材１６の他の実施の形態を示している。
雌型係止部材１６と雄型係止部材１８とが互いに取り付けられた際、解除手段２４は、雌型係止部材１６と雄型係止部材１８とを解除するために作動可能、例えば手動で作動可能となっている。解除手段２４は、押しボタンの形態で提供され得る。
【００１３】
本発明の更なる実施の形態では、第１衣服部分１２及び第２衣服部分１４の各々が、外側層３０と、内側層４０と、外側層３０及び内側層４０の間の強化部材５０と、を含んでいる。図６〜９に示されるように、外側層３０及び内側層４０の各々は、発泡層３４，４４のような他の布地層に取り付けられる布地層３２，４２を含んでいる。代替的に、布地層３２，４２は、この分野における当業者によって知られている好適な材料、例えばスペーサファブリックや、人口ファイバーフィルに取り付けられ得る。一実施の形態では、布地層３２，４２は、接着によって発泡層３４，４４のそれぞれに取り付けられている。他の実施の形態では、布地層３２，４２は、熱ラミネートであってもよい積層によって発泡層３４，４４のそれぞれに取り付けられている。更なる実施の形態では、布地層３２，４２は、超音波接着によって発泡層３４，４４のそれぞれに取り付けられている。また更なる実施の形態では、布地層３２，４２は、縫い合わせによって発泡層３４，４４のそれぞれに取り付けられている。更に他の実施の形態では、布地層３２，４２は、接着剤を用いた接着、熱ラミネート、超音波接着、縫い合わせ、又はこれらの組み合わせによって、発泡層３４，４４のそれぞれに取り付けられ得る。
【００１４】
第１衣服部分１２及び第２衣服部分１４の各々は、着用者の胸に対する補助的な支持を提供するために、各外側層３０と各内側層４０との間に少なくとも１つのワイヤ部材６０を選択的に含んでいてもよい。ワイヤ部材６０は、むき出しのワイヤ、ブラチャンネルのような管状層によって部分的或いは全体的に保護されるワイヤ、又は埋め込まれるワイヤの無いブラチャンネルのみの形態をとり得る。ブラチャンネルは、布やプラスチックのような、当該技術における当業者に知られている好適な材料を用いて製造され得る。図１０に示されるように、ワイヤ部材６０は、強化部材５０ａ，５０ｂに取り付けられ得る。代替的に、追加的な支持が、図１１に示されるように、ワイヤ部材６０の無い延長強化部材５０ｃ，５０ｄによって提供され得る。もっとも、このようなワイヤ部材６０は、ソフトカップブラの場合には必要ではない。
【００１５】
雌型係止部材１６と雄型係止部材１８は、強化部材５０ａ，５０ｂ又は５０ｃ，５０ｄのそれぞれに取り付けられ得る。一実施の形態では、雌型係止部材１６と雄型係止部材１８は、図２３に示されるように、各強化部材５０ａ，５０ｂに縫い合わせられている。強化部材５０は、ブラが着用者によって身に付けられた際、取り付け型係止部材によってかけられる引っ張りに耐える十分な強度を有する実質的に伸縮性の無い布地層を含んでいてもよい。好ましくは、強化部材５０の実質的に伸縮性の無い布地層は、ナイロン、ポリエステル及びそれらの混合物からなる群から選択された材料を含んでいる。
【００１６】
また、本発明の衣服部１０の製造方法の各工程が、図１２〜２４に示されている。これら工程は、布材料の第１層７０及び第２層８０を準備する工程と、第１層７０及び第２層８０の間の強化部材５０を準備する工程と、強化部材５０に係止部材１６又は１８を取り付ける工程と、係止部材１６又は１８を少なくとも部分的に覆うべく、第１層７０、強化部材５０、及び第２層８０を互いに取り付ける工程と、含む。好ましくは、取付工程は、熱ラミネートによって行われる。代替的に、取付工程は、接着剤の使用によって、例えば、第１層７０と強化部材５０との間、及び、第２層８０と強化部材５０との間への接着剤の導入によって、行われ得る。代替的に、取付工程は、縫い合わせによって行われ得る。代替的に、取付工程は、超音波接着によって行われ得る。さらに好ましくは、取付工程は、熱ラミネート、接着剤の使用、縫い合わせ、超音波接着、又はこれらの組み合わせによって、行われる。
【００１７】
一実施の形態では、第１層７０は、頂部側布地層７２と、接着又は積層によって取り付けられた底部側発泡層７４と、を含み、底部側発泡層７４は強化部材５０に隣接する。第２層８０は、頂部側発泡層８４と、接着又は積層によって取り付けられた底部側布地層８２と、を含み、頂部側発泡層８４は強化部材５０に隣接する。
【００１８】
図１２及び１４に示されるように、第１層７０は、成型装置９０ａ，９０ｂによって凹形状に前段階での成型がなされ、凹形状の凹面を規定する第１層７０の底部側発泡層７４をともなう。同様に、図１３及び１５に示されるように、第２層８０は、成型装置９０ａ，９０ｂによって凹形状に前段階での成型がなされ、凹形状の凹面を規定する第２層８０の底部側布地層８２をともなう。第１層７０及び第２層８０の各凹面は、着用者の胸の形状に調和し、これにより、衣服部が着用者の胸を覆い且つ支持するためのブラカップとして機能することが可能となる。成型装置９０は、この分野で従来から用いられている好適な成型手段であってよく、当該分野の当業者は、これが特定の成型装置に限定され得ないことを理解し得るが、目的の実行のために好適な成型手段であればよい。
【００１９】
第１層７０及び第２層８０を準備する工程は、さらに、図１６に示されるように、成型装置９１の雌型９１ａに前段階成型第１層７０を配置する工程を含む。好ましくは、強化部材を準備する前に、製造工程は、さらに、第１層７０にワイヤ部材６０を設ける工程を含み、その後に、図１７に示すように、ワイヤ部材６０に強化部材５０を取り付ける工程がある。前段階成型第２層８０は、次いで、図１８に示される積層工程の前に、ワイヤ部材６０及び強化部材５０上に配置される。図１９及び２０に示されるように、積層工程は、雌型９１ａに成型装置９１の雄型９１ｂを配置する工程と、次の、間の層を圧縮するべく圧力をかける工程と、を含む。図２１に示されるように、開口１００を提供するべく底縁部の一部がシールされないままとされるべきことが、重要である。成型装置９１から積層された層を取り外した後、積層された層は、衣服部１０を形成するべく、所望のサイズ及び形状に切断される。開口１００は、衣服部のそれぞれに、少なくとも部分的に開口された底角部１１０を提供し、これは、更なる工程のための強化部材へのアクセスを許容する。例えば、図２３に示されるように、第１層７０又は第２層８０のいずれかは、開口された底角部１１０で、中間強化部材５０を露出させるべく折り返され得て、係止部材１６，１８が、各強化部材５０に、例えば、縫い合わせ、超音波接着、熱ラミネート、接着、又はそれらの組み合わせによって、取り付けられ得る。
【００２０】
図２４は、開口された底角部１１０が、例えば、縫い合わせ、及び／又は、接着、及び／又は、積層によって、閉じられた際の衣服部１０をさらに示す。図２５は、第１層７０、接着部１２０、ワイヤ部材６０と係止部材１６に接続された強化部材５０、別の接着部１２０、及び第２層８０の順での衣服部１０の構積層を示した展開図である。
【００２１】
ブラ部１０は、図２５に示されるように、ブラを形成するために、ブラ部１０に他の布地材料や部分を形成又は接続することによって、さらに処理され得る。例えば、肩ひも及び背面布地部分が、ブラを形成するために、縫い合わせ又は他の係止手段によって、ブラ部１０に接続され得る。
【００２２】
上記は、例を示し且つ説明したのみであり、これにより本発明が実施され、及び、例えばブラの衣服部として機能してもよく、変形及び／又は代替が、発明の趣旨から逸脱しない限りでそれになされてもよいことは、理解されるべきである。例えば、ある実施の形態は前側閉じ式のブラに関連されるが、この分野の当業者は、本発明が、後部閉じ式のブラの後部係止システム、又は、ブラの好適な位置での閉じシステムとして用いられ得ることを理解し得る。本発明はまた、例えばコルセットやスイムスーツのような、下着又は衣服の係止システムを有する部分として、使用され得る。
【００２３】
また、本発明のある特徴は、明確化のために、分離した実施の形態にて説明された場合であっても、単一の実施の形態において組み合わせで提供されてもよいことは、理解され得る。逆に、本発明の種々の特徴は、簡易化のために、単一の実施の形態で説明された場合であっても、別個で、又は、好適なサブコンビネーションで提供されてもよい。
【図１】
2019116714.tif 000003
【図２】
2019116714.tif 000004
【図３】
2019116714.tif 000005
【図４】
2019116714.tif 000006
【図５】
2019116714.tif 000007
【図６】
2019116714.tif 000008
【図７】
2019116714.tif 000009
【図８】
2019116714.tif 000010
【図９】
2019116714.tif 000011
【図１０】
2019116714.tif 000012
【図１１】
2019116714.tif 000013
【図１２】
2019116714.tif 000014
【図１３】
2019116714.tif 000015
【図１４】
2019116714.tif 000016
【図１５】
2019116714.tif 000017
【図１６】
2019116714.tif 000018
【図１７】
2019116714.tif 000019
【図１８】
2019116714.tif 000020
【図１９】
2019116714.tif 000021
【図２０】
2019116714.tif 000022
【図２１】
2019116714.tif 000023
【図２２】
2019116714.tif 000024
【図２３】
2019116714.tif 000025
【図２４】
2019116714.tif 000026
【図２５】
2019116714.tif 000027
【外国語明細書】
2019116714000001.pdf